(57)【特許請求の範囲】
【請求項１】
不特定多数人が出入りする高層乃至中低層の建造物における屋外乃至屋内の非常階段避難口の開口に設置した新設又は既設のドア枠と、該ドア枠に開閉自在に吊り支持して配置した親扉と,該親扉の子扉開口に開閉自在に吊り支持して配置した非常脱出用の子扉を備えて、建造物の中廊下から非常階段への避難用としてなり、
上記親扉と子扉を、横幅を規格寸法とするメーカー規格鋼板を室外側及び室内側毎にそれぞれ1枚用いてこれらの各見付面を形成した鋼製のものとしてなり、
室内側の前記メーカー規格鋼板の１枚が、幅８８４ｍｍ、高さ２１３１ｍｍにして、面内に幅５４０ｍｍ、高さ１８５３ｍｍの開口を形成した室内側の親扉被覆鋼板と、該開口の形成によって得られた鋼板による、幅５４０ｍｍ、高さ１８５３ｍｍの室内側の子扉被覆鋼板と、を構成し、
室外側の前記メーカー規格鋼板の１枚が、幅８８４ｍｍ、高さ２１３１ｍｍにして、面内に幅５７４ｍｍ、高さ１８５３ｍｍの開口を形成した室外側の親扉被覆用鋼板と、該開口の形成によって得られた鋼板による、幅５５２ｍｍ、高さ１８５３ｍｍの室外側の子扉被覆鋼板と、を構成することを特徴とする建造物避難用子扉付きドア。
【請求項２】
上記屋外乃至屋内の非常階段避難口の開口に設置した新設又は既設のドア枠に代えて、
中廊下に面する建造物内開口に設置した新設又は既設のドア枠を用い、建造物の個別室内から中廊下への避難用としてなることを特徴とする請求項１に記載の建造物避難用子扉付きドア。
【請求項３】
上記新設又は既設のドア枠と親扉間及び/又は親扉の子扉開口と子扉間に気密手段を配置してなることを特徴とする請求項１又は２に記載の建造物避難用子扉付きドア。
【請求項４】
上記ドア枠に対する親扉の開閉自在の吊り支持を耐震ヒンジによって行ってなることを特徴とする請求項１、２又は３に記載の建造物避難用子扉付きドア。
【請求項５】
上記親扉に対する子扉の開閉自在の吊り支持をオートヒンジ又はスプリングヒンジによって行ってなることを特徴とする請求項１、２、３又は４に記載の建造物避難用子扉付きドア。
【発明の詳細な説明】
【技術分野】
【０００１】
本発明は、オフィスビル、学校、ホテル、庁舎等の高層や中低層の建造物における避難用に好適に用いられる建造物避難用子扉付きドアに関する。
【背景技術】
【０００２】
この種の子扉付きドアとして、下記特許文献１が知られており、これによれば、マンションの玄関開口に設置した新設又は既設のドア枠と、該ドア枠に開閉自在に吊り支持して配置した親扉と、該親扉の子扉開口に開閉自在に吊り支持して配置した非常脱出用の子扉を備えて、マンションから外廊下への避難用とし且つ上記ドア枠と親扉及び該親扉と子扉間に気密手段と施錠手段を配置したものとされる。
【先行技術文献】
【特許文献】
【０００３】
【特許文献１】特開２０１１−２２６１６４号公報
【発明の概要】
【発明が解決しようとする課題】
【０００４】
この場合、ドアは、日常はこれを玄関ドアとして使用するとともに地震によってドア枠が変形して開閉不能となっても、親扉の子扉開口に配置した子扉を開閉して、その避難を行うことができるから、玄関ドアの開閉不能によるマンションからの脱出ができないといったリスクを回避することができる。
【０００５】
しかし乍ら、オフィスビル、学校、ホテル、庁舎等各種用途の不特定多数人が出入りするような公共性を有する高層や中低層の建造物にあっては、屋外乃至屋内の非常階段避難口のドアがドア枠の変形により開閉不能になり、中廊下から非常階段への脱出避難が不能になり、また、中廊下に面する建造物内開口のドアが、同じくドア枠の変形により、個別室内から中廊下への脱出避難が不能になる可能性があり、このような公共性を有する建造物における不特定多数人の地震による脱出不能の事態を解消する必要がある。
【０００６】
本発明はかかる事情に鑑みてなされたもので、その解決課題とするところは、不特定多数人が出入りする公共性を有する建造物におけるドア枠変形とそのドア開閉不能による地震による脱出不能の事態を解消する建造物の子扉付きドアを提供するにある。
【課題を解決するための手段】
【０００７】
上記課題に沿って本発明は、非常階段避難口のドア枠に開閉自在に吊支持したドアを、親扉と、その子扉開口に開閉自在に吊支持した子扉によって形成し、ドア枠の変形時に子扉から非常階段への避難をなし得るようにしたものであって、即ち、請求項1に記載の発明を、不特定多数人が出入りする高層乃至中低層の建造物における屋外乃至屋内の非常階段避難口の開口に設置した新設又は既設のドア枠と、該ドア枠に開閉自在に吊り支持して配置した親扉と,該親扉の子扉開口に開閉自在に吊り支持して配置した非常脱出用の子扉を備えて、建造物の中廊下から非常階段への避難用としてなり、上記親扉と子扉を、横幅を規格寸法とするメーカー規格鋼板を室外側及び室内側毎にそれぞれ1枚用いてこれらの各見付面を形成した鋼製のものとしてなり、室内側の前記メーカー規格鋼板の１枚が、幅８８４ｍｍ、高さ２１３１ｍｍにして、面内に幅５４０ｍｍ、高さ１８５３ｍｍの開口を形成した室内側の親扉被覆鋼板と、該開口の形成によって得られた鋼板による、幅５４０ｍｍ、高さ１８５３ｍｍの室内側の子扉被覆鋼板と、を構成し、室外側の前記メーカー規格鋼板の１枚が、幅８８４ｍｍ、高さ２１３１ｍｍにして、面内に幅５７４ｍｍ、高さ１８５３ｍｍの開口を形成した室外側の親扉被覆用鋼板と、該開口の形成によって得られた鋼板による、幅５５２ｍｍ、高さ１８５３ｍｍの室外側の子扉被覆鋼板と、を構成することを特徴とする建造物避難用子扉付きドアとしたものである。
【０００８】
請求項２に記載の発明は、不特定多数人が出入りする公共性のある建造物における個別室内から中廊下への脱出避難をなし得るものとするように、これを、上記屋外乃至屋内の非常階段避難口の開口に設置した新設又は既設のドア枠に代えて、中廊下に面する建造物内開口に設置した新設又は既設のドア枠を用い、建造物の個別室内から中廊下への避難用としてなることを特徴とする請求項１に記載の建造物避難用子扉付きドアとしたものである。
【０００９】
請求項３に記載の発明は、上記ドア枠と親扉、親扉の子扉開口と子扉間に気密手段を配置することによってドアの気密性を確保したものとするように、これを、上記新設又は既設のドア枠と親扉間及び／又は親扉の子扉開口と子扉間に気密手段を配置してなることを特徴とする請求項１又は２に記載の建造物避難用子扉付きドアとしたものである。
【００１０】
請求項４に記載の発明は、上記ドア枠に親扉を耐震ヒンジを用いて吊り支持することによって、ドア枠変形とそのドア開閉不能を可及的に防止して、不特定多数人の避難を可及的確実になし得るように、これを、上記ドア枠に対する親扉の開閉自在の吊り支持を耐震ヒンジによって行ってなることを特徴とする請求項１、２又は３に記載の建造物避難用子扉付きドアとしたものである。
【００１１】
請求項５に記載の発明は、子扉を自動閉鎖自在とすることによって、避難時に子扉の閉鎖動作を不必要として避難を可及的に容易になし得るものとするように、これを、上記親扉に対する子扉の開閉自在の吊り支持をオートヒンジ又はスプリングヒンジによって行ってなることを特徴とする請求項１、２、３又は４に記載の建造物避難用子扉付きドアとしたものである。
【００１３】
本発明はこれらをそれぞれ発明の要旨として、上記課題解決の手段としたものである。
【発明の効果】
【００１４】
本発明は以上のとおりに構成したから、請求項1に記載の発明は、非常階段避難口のドア枠に開閉自在に吊支持したドアを、親扉と、その子扉開口に開閉自在に吊支持した子扉によって形成し、ドア枠の変形時に子扉から非常階段への避難をなし得るようにして、不特定多数人が出入りする公共性を有する建造物におけるドア枠変形とそのドア開閉不能による地震による脱出不能の事態を解消する建造物の子扉付きドアを提供することができる。また、ドアを鋼製ドアとしたとき、該ドアが親扉と子扉を備え、親扉と子扉に見込面が形成され、該見込面の面積が増加することに伴って、親扉と子扉を被覆するに用いるドア鋼板の面積が量的に増加することになるところ、該ドア鋼板の増加とこれによるコストアップを回避し、ドア鋼板の使用量を鋼製の両面フラッシュドアと同様としたものとすることができる。
【００１５】
請求項２に記載の発明は、不特定多数人が出入りする公共性のある建造物における個別室内から中廊下への脱出避難をなし得るものとして、同様に、不特定多数人が出入りする公共性を有する建造物におけるドア枠変形とそのドア開閉不能による地震による脱出不能の事態を解消する建造物の子扉付きドアを提供することができる。
【００１６】
請求項３に記載の発明は、上記ドア枠と親扉、親扉の子扉開口と子扉間に気密手段を配置することによってドアの気密性を確保したものとすることができる。
【００１７】
請求項４に記載の発明は、上記ドア枠に親扉を耐震ヒンジを用いて吊り支持することによって、ドア枠変形とそのドア開閉不能を可及的に防止して、不特定多数人の避難を可及的確実になし得るものとすることができる。
【００１８】
請求項５に記載の発明は、子扉を自動閉鎖自在とすることによって、避難時に子扉の閉鎖動作を不必要として避難を可及的に容易になし得るものとすることができる。
【図面の簡単な説明】
【００２０】
【図１】子扉外開き鋼製ドアの正面図である。
【図２】図１の鋼製ドアの背面図である。
【図３】図１の鋼製ドアの縦断面図である。
【図４】図１の鋼製ドアの横断面図である。
【図５】図１の室内側のドア鋼板の板取とその加工状態の例を示す説明図である。
【図６】図５の鋼板配置状態を示す縦断面図である。
【図７】図５の鋼板配置状態を示す横断面図である。
【図８】図１の室外側のドア鋼板の板取とその加工状態の例を示す説明図である。
【図９】図８の鋼板配置状態を示す縦断面図である。
【図１０】図８の鋼板配置状態を示す横断面図である。
【図１１】他の例に係る子扉外開き鋼製ドアの縦断面図である。
【図１２】図１１の鋼製ドアの横断面図である。
【図１３】子扉内開き鋼製ドアの縦断面図である。
【図１４】図１３の鋼製ドアの横断面図である。
【発明を実施するための形態】
【００２１】
以下図面の例に従って本発明を更に具体的に説明すれば、Ａは建造物避難用子扉付きドアであり、該ドアＡは、図１乃至図５又は図６及び図７において、オフィスビル、学校、ホテル、庁舎等の不特定多数人が出入りする高層乃至中低層の建造物における屋外乃至屋内の非常階段避難口の開口に設置した新設又は既設のドア枠１と、該ドア枠１に開閉自在に吊り支持して配置した親扉２と、該親扉２の子扉開口５５に開閉自在に吊り支持して配置した非常脱出用の子扉３を備えて、建造物の中廊下から非常階段への避難用とした鋼製ドアとしてあり、また、図１１及び図１２において、上記屋外乃至屋内の非常階段避難口の開口に設置した新設又は既設のドア枠に代えて、中廊下に面する建造物内開口に設置した新設又は既設のドア枠１を用い、建造物の個別室内から中廊下への避難用とした、同じくドア枠１、親扉２及び子扉３を鋼製とした鋼製ドアとしてある。
【００２２】
本例にあって建造物は、上記オフィスビル、学校、ホテル、庁舎の他、百貨店、ショッピングセンター、病院、公民館、劇場、図書館等々を含む、不特定多数人が出入し、利用する高層、中低層のものを対象として、その屋外又は屋内の非常階段と中廊下間を仕切る非常口ドアとして又は中廊下と個別室内との間を仕切る非常口兼用の出入口ドアとして、上記非常階段避難口の開口又は個別室内の出入口の開口に設置した新設又は既設のドア枠１に設置した上記親扉２と子扉３を備えた子扉付きの鋼製ドアを設置してあり、これによって、地震によって上記開口のドア枠１が、建造物の変形に伴って変形し、鋼製ドアＡ、特に親扉２に対して圧着することによって該親扉２が開閉不能となった際にも、該親扉２の子扉開口５５が上記開口と独立した開口をなすことによってその影響を受けることはないか又は殆どないから、これに開閉自在に設置した子扉３は、該子扉開口５５との相対的位置関係を維持してその開閉を行うことができる。従って、地震によるドア開閉不能時にも、子扉３を開閉して中廊下から非常階段に、また、個別室内から中廊下に避難脱出することが可能となり、建造物内の不特定多数人が特定階の中廊下又は個別室内に閉じ込められるのを有効且つ適切に防止し得るようにしてある。
【００２３】
鋼製ドアＡの子扉３は外開き又は内開き、例えば、図１乃至図７の屋外乃至屋内の非常階段避難口の開口にあっては子扉３を外開き、図１１及び図１２の中廊下に面する個別室内の開口にあっては子扉３を内開きとしてある。非常階段避難口において子扉３を外開きとすることによって子扉３を外側に押開きして非常階段への避難を容易に行うことができる一方、中廊下に面する個別室内の開口において子扉３を内開きとすることによって地震に際して落下物等が生じて子扉が開閉不能となるのを有効に防止することができる。
【００２４】
子扉付きドア、本例にあって子扉付き鋼製ドアＡは、建造物の新築に際して設置した新設鋼製のドア枠１とともにこれに吊支持した新設のドアとし又は斫り工法やカバー工法によって設置した新設鋼製のドア枠１とともにこれに吊支持した改装のドア乃至既設鋼製のドア枠１にその既設のドアと交換的に吊支持して設置した改装のドアとしてあり、これによって新築建造物及び既築建造物のいずれにおいても避難用の子扉付鋼製ドアＡを備えたものとすることができる。
【００２５】
ドア枠１は既設又は新設を問わずに、上下左右の枠材を矩形に枠組みし、アンカーを用いて建造物の鉄筋に固定し、上記開口の内周面を囲繞するように設置してあり、その左右一方の枠材、即ち、一方の縦枠に対して親扉２を開閉自在に、例えば、これらの間に配置したヒンジによって吊支持してあり、また、該親扉２は、その子扉開口５５の一側端に対して子扉３を開閉自在に吊支持し、ドア枠１に対して親扉２を開閉し得るようにするとともに親扉２に対して子扉３を独立して開閉し得るようにしてある。
【００２６】
本例にあって上記ドア枠に対する親扉２の開閉自在の吊り支持は、これを耐震ヒンジ１１によって行ってなり、また、上記親扉に対する子扉の開閉自在の吊り支持は、これをオートヒンジ又はスプリングヒンジ、本例にあってはオートヒンジ１２によって行ったものとしてある。ヒンジは、例えば、平型丁番、旗丁番の如くに常法に従って各種のものを用いることができるが、上記耐震ヒンジ１１を用いることによって、地震によりドア枠１に変形を来しても該耐震ヒンジ１１がドア枠１の変形を吸収するようにして、親扉２の開閉阻害を可及的に防止し、該親扉２を開閉して可及的に避難をなし得るようにしてあり、また、子扉３の吊り支持にオートヒンジ１２を用いることによって、例えば、ドアクローザーを別途設けることなく、子扉３を用いた避難に際して開成した子扉３を自動閉成し得るようにして、子扉３の閉成の操作を省略して避難を可及的迅速且つ確実になし得るようにしてある。
【００２７】
親扉２及び子扉３は、それぞれ中骨４にドア鋼板５を張設した剛性の高いものとし、必要に応じて内部に防音断熱材を充填したものとして構成してあり、本例にあって該親扉２及び子扉３は、いずれも厚肉の鋼板の中骨４の表裏に同じく厚肉のドア鋼板５を張設し、防音断熱材の充填を省略して内部を中空とした中空ボックス状のものとしてある。
【００２８】
子扉付き鋼製ドアＡは、必要に応じて、ドア枠１と親扉２間、親扉２の子扉開口５５と子扉３間に気密措置を施したものとしてあり、このとき、図１乃至図４の鋼製ドアＡにあっては、ドア枠１と親扉２間、親扉２の子扉開口５５と子扉３間に、図１３及び図１４の鋼製ドアＡにあっては、同じく、ドア枠１と親扉２間、親扉２の子扉開口５５と子扉３間にそれぞれ気密措置を施してあり、該気密措置は、ドア枠１と親扉２間にあっては、例えば、後述のように図１乃至図４の鋼製ドアＡにあってドア枠１に一体又はこれに設置した別体の気密材受条８に、また、親扉２の子扉開口５５と子扉３間において、図１３及び図１４の鋼製ドアＡにあっては、子扉開口５５に露出した中骨４に一体又はこれに設置した別体の気密材受条８にそれぞれ気密材９を配置することによって、これらの間の気密性を確保するようにしてある。なお、図１１及び図１２の鋼製ドアＡにあっては、中廊下に面する建造物内のものとしてその気密材の設置を省略したものとしてある。
【００２９】
親扉２と子扉３は、これを、横幅を規格寸法とするメーカー規格鋼板を室外側及び室内側毎にそれぞれ１枚用いてこれらの各見付面を形成した鋼製のものとしてあり、これによって、鋼製の両面フラッシュドア用とされたメーカー規格のドア鋼板５を用いて、親扉２と子扉３の表裏を張設被覆したものとしてある。即ち、鋼製ドアＡが親扉２と子扉３を備えることによって、親扉２の子扉開口５５内周と子扉３外周に見込面が形成されて、両面フラッシュドアと比較するとこれら見込面の面積が増加するため、親扉２と子扉３を被覆するに必要なドア鋼板５の面積が量的に増加することになり、例えば特許文献１の構造の鋼製ドアにあって、メーカー規格鋼板を用いると、親扉２と子扉３の室内側及び室外側の見付面に各１枚の鋼板、即ち、合計４枚の鋼板を必要とすることになるところ、本例の鋼製ドアＡは、該ドア鋼板５の使用量を削減し、該ドア鋼板５を上記４枚の１／２の２枚として、親扉２と子扉３を備え乍ら、その使用量を一般の両面フラッシュドアと同等としてある。
【００３０】
ドア鋼板５の使用量の削減は、親扉２の外周側見込面、子扉開口及び／又は子扉３見込面の全部乃至一部の被覆を省略し、室内側、室外側用の各ドア鋼板５によって親扉２及び子扉３の見付面乃至一部の見込面を被覆するようにして、メーカー規格鋼板とその被覆面積の調整を図ってあり、このとき、必要に応じて、該被覆省略部位に見込面被覆用の断面コ字状、Ｌ字状等のドアエッジ６を配置し、子扉３の開閉を妨げないように、子扉３の外開き時に室内側、内開き時に室外側の室内側親扉２の子扉開口５５と子扉３間を塞ぐように装飾モールを配置し、これらを別途の見込目隠し乃至化粧措置として上記被覆省略部位の見込面を目隠し乃至化粧するとともに該被覆省略部位の露出によって外観を損なうことのないようにしてある。また、上記の如くに、ドア枠１と親扉２の外周側見込面との間や親扉２の子扉開口５５と子扉３見付面間に気密措置を施す場合においては、前者にあってドア枠１にこれに一体又は別体の気密材受条８を配置し、後者にあって親扉２又は子扉３の該当部位の中骨４に、同じく一体又は別体の気密材受条８を配置して、ドア鋼板５の折曲加工による気密材受条の配置を回避して、その被覆負担を軽減しつつ、気密性の確保をなし得るようにしてある。
【００３１】
このドア鋼板の使用量の削減を、図１乃至図４に示した子扉外開きの子扉付き鋼製ドアＡについて、図５乃至図１０を参照して説明すれば、該鋼製ドアＡは、親扉２の幅を８００ｍｍ、高さを２，１００ｍｍ、見込厚を５６ｍｍ、その子扉開口の幅を５６７ｍｍ、高さを１，８７１ｍｍとし、子扉３の幅を５２２ｍｍ、高さを１，８５１ｍｍ、見込厚を４０ｍｍとしてあり、該親扉２と子扉３の室内側及び室外側の見付面は、これをそれぞれに上記メーカー規格のドア鋼板５を１枚用いて、その被覆を行ってある。本例にあってドア鋼板５は、幅を９１４ｍｍとするロール鋼板を、ユーザーが指定する１，９００ｍｍ、２，０００ｍｍ、２，１５０ｍｍ、２，４３８ｍｍ、本例にあっては２，４３８ｍｍの縦長さに切断した両面フラッシュドア用としてメーカーが設定した規格鋼板を用い、該鋼板５に、切断、曲げ、穴あけ等所定のプレス加工を施して、該鋼板５からそれぞれ室内側の親扉２及び子扉３、室外側の親扉２及び子扉３の各被覆鋼板の板取加工を行ってある。
【００３２】
即ち、該規格鋼板５によって上記幅８００ｍｍの両面フラッシュドアの被覆を行うには、幅方向に１１ｃｍ強、高さ方向に３４ｃｍ弱の余裕があるから、見付面から一般に片側数ｃｍ程度乃至それ以下の見込厚をそれぞれ吸収することができるが、上記親扉２と子扉３を該規格鋼板５で被覆するには、親扉２の見込厚を吸収し得ても、特に幅方向両側の見込面において、子扉開口５５の見込厚５６ｍｍ×２の１２ｃｍ程度、子扉３の見込厚４０ｍｍ×２の８ｃｍ程度の合計２０ｃｍ程度が不足することになる
【００３３】
上記規格鋼板を用いた本例の親扉２及び子扉３は、その見付面を被覆するとともに親扉２の外周側の上端及び両側面の見込面を被覆する一方で、その下端の見込面、子扉開口５５及び子扉３の上下左右の各見込面の被覆を省略して、これら見込面の被覆省略によって、鋼板５の被覆負担を軽減したものとし、このとき、該被覆省略した見込面には、見付面端部から該見込面を被覆するドアエッジ６を配置して、その見込面の目隠し乃至化粧措置としてあり、また、本例の子扉付き鋼製ドアＡにあっては、ドア枠１と親扉２間、親扉２の子扉開口５５と子扉３間にそれぞれ気密措置を施したものとしてあるところ、上記のとおり、ドア枠１の戸当り部位に気密材受条８を配置し、親扉２における子扉開口側に露出した中骨４に気密材受条８を配置することによって、該気密材受条８を規格鋼板５によって形成することによる被覆面積の増加を回避してある。
【００３４】
本例にあって２枚の規格鋼板５は、その一方から室内側の親扉被覆鋼板５１と子扉被覆鋼板５２を、他方から室外側の親扉被覆鋼板５３と子扉被覆鋼板５４をそれぞれ板取りして、これら２枚の規格鋼板５によって鋼製ドアＡの室内側及び室外側の見付面を完結的に被覆したものとしてある。
【００３５】
即ち、図５乃至図７に示すように、上記一方の規格鋼板５から、例えば、幅８８４ｍｍ程度、高さ２，１３１ｍｍ程度にして、面内に幅５４０ｍｍ程度、高さ１，８５３ｍｍ程度の開口５５を形成した室内側の親扉被覆鋼板５１と、該開口５５の形成によって得られた鋼板による、例えば幅５４０ｍｍ、高さ１，８５３ｍｍ程度の室内側の子扉被覆鋼板５２を板取りするとともに上記親扉被覆鋼板５５において、上記見込面被覆用に上端において室外側に向けて２８ｍｍ程度、左右端部において、断面Ｌ字状とし、例えば８ｍｍ程度を室内側見付面の端部に及ぶようにした折曲片５６を配置したものとし、また、子扉被覆鋼板５２においては上記折曲片を配置することなく、同じく見付面被覆用にフラットな板状のものとしてある。
【００３６】
また、図８乃至図１０に示すように、上記他方の鋼板５から、例えば、同じく幅８８４ｍｍ程度、高さ２，１３１ｍｍ程度にして、面内に幅５７４ｍｍ程度、高さ１，８５３ｍｍ程度の開口５５を形成した室外側の親扉被覆用鋼板５３と、該開口５５の形成によって得られた鋼板の幅を２１ｍｍ程度縮小した、例えば幅５５２ｍｍ、高さ１，８５３ｍｍ程度の室外側の子扉被覆鋼板５４を板取りするとともに上記親扉被覆鋼板において上記見込面被覆用に上端において室内側に向けて同様に２８ｍｍ程度、左右端部において、例えばそれぞれ８ｍｍ程度を室内側見付面の端部に及ぶように断面Ｌ字状に折曲した折曲片５６を配置したものとし、また、子扉被覆鋼板５４においても同様に８ｍｍ程度室内側見付面の端部に及ぶように折曲した折曲片５６を配置したものとしてある。なお、折曲片５６を配置した親扉被覆鋼板５３は、該他方の鋼板５から、その板取段階で、例えば縦２ｍｍ程度、幅１ｃｍ程度小さく、これを切断するも、該板取後に折曲片５６を配置する折曲加工によって、該鋼板に延びが生じるために、親扉３の被覆寸法に合致したものとなるので、該折曲加工の延びを考慮して上記の切断寸法を設定してある。
【００３７】
従って、これら室内側、室外側の各親扉被覆鋼板５１、５３と、各子扉被覆鋼板５２、５４を、親扉２及び子扉３の芯材をなす中骨４に、例えば接着固定して、それぞれの見付面を被覆し、上記折曲条５６によって上記各所定部位の見込面を被覆し、残余の見込面に上記ドアエッジ６を、同じく例えば接着固定して、該ドアエッジ６によって見込面の被覆を行って、その被覆を行ってある。
【００３８】
図中７は、必要に応じて子扉３の見付面戸先側に配置したドアエッジ６の空隙閉鎖条、１０は、同じく必要に応じて子扉３の室外側見付面下端に配置した水切り条、１３は、例えばレバーハンドルと選択的に設置自在に配置した親扉開閉操作用のドアノブ、１４は親扉２の室内側でサムタンとし、室外側でキー操作用とした施錠装置、１５は、親扉２の子扉開口における子扉３の戸先側見込面とその上下見込面との間で該子扉３を３点締りの施錠自在に配置し且つ上記親扉２の施錠装置１４の室外側操作用キーによってその室外側の操作を共通とした子扉室内側見付面配置の操作ハンドルを示す。
【００３９】
図示した例は以上のとおりとしたが、上記子扉のドアエッジに代えて、例えば、鋼板の折曲加工によって子扉の被覆面積を増加することなく、外開きの子扉における親扉の子扉開口との空隙を閉鎖するように子扉の室外側見付面外周に鋼板とは別体に形成したアルミ製、鋼製等の装飾モールを配置すること、子扉の吊支持を、上記オートヒンジに代えてスプリングヒンジによって行うこと、この場合、該スプリングヒンジの付勢強さの調整を可及的に回避し得るように、親扉の子扉開口と子扉間、例えば、子扉開口の中骨の段部と子扉の対面部位に子扉保持用のマグネット乃至マグネットキャッチを配置し、子扉開成時の閉成の確実性を確保するようにすること、子扉付きドアの全部又は一部をアルミ製のものとすること等を含めて、本発明の実施に当って、子扉付きドア、ドア枠、親扉、子扉、子扉開口等の各具体的形状、構造、材質、これらの関係、これらに対する付加等は、上記発明の要旨に反しない限り様々な形態のものとすることができる。
【符号の説明】
【００４０】
Ａ  子扉付きドア
１  ドア枠
２  親扉
３  子扉
４  中骨
５  鋼板
５１  室内側の親扉被覆鋼板
５２  室内側の子扉被覆鋼板
５３  室外側の親扉被覆鋼板
５４  室外側の子扉被覆鋼板
５５  開口
５６  折曲片
６  ドアエッジ
７  空隙閉鎖条
８  気密材受条
９  気密材
１０  水切り条
１１  耐震ヒンジ
１２  オートヒンジ
１３  ドアノブ
１４  施錠装置
１５  操作ハンドル
【図１】
0005489366.tif 000002
【図２】
0005489366.tif 000003
【図３】
0005489366.tif 000004
【図４】
0005489366.tif 000005
【図５】
0005489366.tif 000006
【図６】
0005489366.tif 000007
【図７】
0005489366.tif 000008
【図８】
0005489366.tif 000009
【図９】
0005489366.tif 000010
【図１０】
0005489366.tif 000011
【図１１】
0005489366.tif 000012
【図１２】
0005489366.tif 000013
【図１３】
0005489366.tif 000014
【図１４】
0005489366.tif 000015